【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
熱可塑性ポリウレタン組成物から作製される繊維であって、該熱可塑性ポリウレタン組成物が、
（ａ）（ｉ）１つまたは１つより多くのポリオールと、（ｉｉ）１つまたは１つより多くのジイソシアネートと、（ｉｉｉ）１つまたは１つより多くの鎖延長剤と、（ｉｖ）場合によっては１つまたは１つより多くの架橋剤と、（ｖ）１つまたは１つより多くの機能改質剤との反応生成物を含む熱可塑性ポリウレタン
を含み、
該機能改質剤がそれぞれ、アミノジオールとブレンステッド酸との反応生成物であり、
該機能改質剤が構成成分（ａ）の熱可塑性ポリウレタンの骨格に組み込まれている、繊維。
【請求項２】
前記熱可塑性ポリウレタン組成物が、さらに、
（ｂ）（ｉ）１つまたは１つより多くのポリオールと、（ｉｉ）１つまたは１つより多くのジイソシアネートと、（ｉｉｉ）１つまたは１つより多くの鎖延長剤と、（ｉｖ）場合によっては１つまたは１つより多くの架橋剤との反応生成物を含む第２熱可塑性ポリウレタンであって、該第２熱可塑性ポリウレタンは、構成成分（ａ）の熱可塑性ポリウレタンとは異なるもの；
（ｃ）ＮＣＯ末端プレポリマー；または
（ｄ）（ｂ）と（ｃ）の両方
を含み、
構成成分（ａ）と構成成分（ｂ）、（ｃ）、または（ｄ）とを互いに混合および／または反応させ、その結果得られる生成物が該繊維を作製するために使用される、請求項１に記載の繊維。
【請求項３】
前記ブレンステッド酸が、少なくとも一つのカルボン酸、ホスホン酸、ホスフィン酸、スルホン酸、酸性リン酸エステル、またはそれらの組み合わせを含む、請求項１〜２のいずれか一項に記載の繊維。
【請求項４】
前記アミノジオールが、Ｎ−メチルジエタノールアミン（ＭＤＥＡ）、３−ジエチルアミノ−１，２−プロパンジオール（ＤＥＡＰＤ）、２−アミノ−２−メチル−１，３−プロパンジオール（ＡＭＰＤ）、Ｎ−（ｎ−ブチル）ジエタノールアミン（ＢＤＥＡ）、Ｎ−（ｔ−ブチル）ジエタノール−アミン（ＴＢＤＥＡ）、Ｎ−フェニルジエタノールアミン（ＰＤＥＡ）、Ｎ，Ｎ−ビス（２−ヒドロキシエチル）アミノ−メチルホスホン酸ジエチル、Ｎ−エチルジエタノールアミン、Ｎ−プロピルジエタノールアミン、Ｎ−イソプロピルジエタノールアミン、アミノプロピルジエタノールアミン、３−アミノ−１，２−プロパンジオール、３−ジメチルアミノ−１，２−プロパンジオール、３−ジプロピルアミノ−１，２−プロパンジオール、３−ジイソプロピルアミノ−１，２−プロパンジオール、２−アミノ−１，３−プロパンジオール、２−アミノ−２−エチル−１，３−プロパンジオール、Ｎ，Ｎ’−ビス（２−ヒドロキシエチル）エチレンジアミン、３−ピロリジノ−１，２−プロパンジオール、ジエタノールアミン、ジイソプロパノールアミン、３−ピペリジノ−１，２−プロパンジオール、４，４’−トリメチレンビス（１−ピペリジンエタノール）、１，４−ビス（２−ヒドロキシエチル）ピペラジン、３−モルホリノ−１，２−プロパンジオール、ビス（２−ヒドロキシエチル）オクタデシルアミン、またはそれらの任意の組み合わせを含む、請求項１〜３のいずれか一項に記載の繊維。
【請求項５】
前記構成成分（ａ）のジイソシアネートが、非ヒンダード芳香族ジイソシアネート、脂肪族ジイソシアネート、またはそれらの組み合わせを含み、
前記構成成分（ａ）のポリオールが、ヒドロキシル末端ポリエーテル、ヒドロキシル末端ポリエステル、ヒドロキシル末端ポリカプロラクトン、ヒドロキシル末端ポリカーボネート、またはそれらの混合物からなる群より選ばれる、
請求項１〜４のいずれか一項に記載の繊維。
【請求項６】
前記繊維は、約２０〜３６０デニールの直径を有するモノフィラメント繊維である、請求項１〜５のいずれか一項に記載の繊維。
【請求項７】
前記繊維は、約３０〜３００デニールの全径および１０〜１００のフィラメント数を有するマルチフィラメント繊維である、請求項１〜６のいずれか一項に記載の繊維。
【請求項８】
構成成分（ａ）が、繊維にされる前に、約２０，０００〜約１，５００，０００の重量平均分子量を有する、請求項１〜７のいずれか一項に記載の繊維。
【請求項９】
前記繊維の重量平均分子量が少なくとも４００，０００である、請求項１〜８のいずれか一項に記載の繊維。
【請求項１０】
構成成分（ａ）の随意の架橋剤が存在し、そしてポリエーテルポリオールとジイソシアネートとから誘導される化合物を含む、請求項１〜９のいずれか一項に記載の繊維。
【請求項１１】
請求項１〜１０のいずれか一項に記載の繊維を含む布。
【請求項１２】
前記布は、不織布である、請求項１１に記載の布。
【請求項１３】
前記布は、織布または編布である、請求項１１に記載の布。
【請求項１４】
（Ｉ）（ａ）（ｉ）１つまたは１つより多くのポリオールと、（ｉｉ）１つまたは１つより多くのジイソシアネートと、（ｉｉｉ）１つまたは１つより多くの鎖延長剤と、（ｉｖ）場合によっては１つまたは１つより多くの架橋剤と、（ｖ）１つまたは１つより多くの機能改質剤との反応生成物を含む熱可塑性ポリウレタンを含む、熱可塑性ポリウレタン組成物を調製するステップであって、  該機能改質剤がそれぞれ、アミノジオールとブレンステッド酸との反応生成物であるステップ；
（ＩＩ）前記熱可塑性ポリウレタン組成物から繊維を作製するステップ
を含み、
該機能改質剤が構成成分（ａ）の熱可塑性ポリウレタンの骨格に組み込まれている、繊維を作製するプロセス。
【請求項１５】
前記熱可塑性ポリウレタン組成物が、さらに、
（ｂ）（ｉ）１つまたは１つより多くのポリオールと、（ｉｉ）１つまたは１つより多くのジイソシアネートと、（ｉｉｉ）１つまたは１つより多くの鎖延長剤と、（ｉｖ）場合によっては１つまたは１つより多くの架橋剤との反応生成物を含む第２熱可塑性ポリウレタンであって、該構成成分（ｂ）の第２熱可塑性ポリウレタンは、該構成成分（ａ）の熱可塑性ポリウレタンとは異なるもの；
（ｃ）ＮＣＯ末端プレポリマー；または
（ｄ）（ｂ）と（ｃ）の両方；
を含み、
ステップ（ＩＩ）が、さらに、構成成分（ａ）と構成成分（ｂ）、（ｃ）、または（ｄ）とを混合および／または反応させることで、該熱可塑性ポリウレタン組成物を得ることを含む、請求項１４に記載のプロセス。
【請求項１６】
熱可塑性ポリウレタン組成物から作製される繊維の可染性を増加させる方法であって、該方法は、
（Ｉ）１つまたは１つより多くの機能改質剤を、（ｉ）１つまたは１つより多くのポリオールと、（ｉｉ）１つまたは１つより多くのジイソシアネートと、（ｉｉｉ）１つまたは１つより多くの鎖延長剤と、（ｉｖ）場合によっては１つまたは１つより多くの架橋剤との混合物に加えるステップであって、該機能改質剤がそれぞれ、アミノジオールとブレンステッド酸との反応生成物である、ステップ；および
（ＩＩ）ステップ（Ｉ）の混合物を反応させることで、熱可塑性ポリウレタンを得るステップであって、該機能改質剤が熱可塑性ポリウレタンの骨格に組み込まれている、ステップ；
（ＩＩＩ）ステップ（ＩＩ）の熱可塑性ポリウレタンを含む熱可塑性ポリウレタン組成物を調製するステップ；
（ＩＶ）その結果得られる熱可塑性ポリウレタン組成物から繊維を作製するステップであって、該その結果得られる繊維が増加した可染性を有するステップ
を含み、
該機能改質剤が構成成分（ａ）の熱可塑性ポリウレタンの骨格に組み込まれている、方法。
【請求項１７】
ステップ（ＩＩＩ）の熱可塑性ポリウレタン組成物が、さらに、
（ｂ）（ｉ）１つまたは１つより多くのポリオールと、（ｉｉ）１つまたは１つより多くのジイソシアネートと、（ｉｉｉ）１つまたは１つより多くの鎖延長剤と、（ｉｖ）場合によっては１つまたは１つより多くの架橋剤との反応生成物を含む第２熱可塑性ポリウレタンであって、該構成成分（ｂ）の第２熱可塑性ポリウレタンは、該構成成分（ａ）の熱可塑性ポリウレタンとは異なるもの；
（ｃ）ＮＣＯ末端プレポリマー；または
（ｄ）（ｂ）と（ｃ）の両方；
を含み、
ステップ（ＩＩＩ）が、さらに、構成成分（ａ）と構成成分（ｂ）、（ｃ）、または（ｄ）とを混合および／または反応させることで、該熱可塑性ポリウレタン組成物を得ることを含む、請求項１６に記載の方法。
【請求項１８】
熱可塑性ポリウレタン組成物から作製される繊維の難燃性を増加させる方法であって、該方法は、
（Ｉ）１つまたは１つより多くの機能改質剤を、（ｉ）１つまたは１つより多くのポリオールと、（ｉｉ）１つまたは１つより多くのジイソシアネートと、（ｉｉｉ）１つまたは１つより多くの鎖延長剤と、（ｉｖ）場合によっては１つまたは１つより多くの架橋剤との混合物に加えるステップであって、該機能改質剤が、それぞれアミノジオールとブレンステッド酸との反応生成物である、ステップ；および
（ＩＩ）ステップ（Ｉ）の混合物を反応させることで、熱可塑性ポリウレタンを得るステップであって、該機能改質剤が熱可塑性ポリウレタンの骨格に組み込まれている、ステップ；
（ＩＩＩ）ステップ（ＩＩ）の熱可塑性ポリウレタンを含む熱可塑性ポリウレタン組成物を調製するステップ；
（ＩＶ）その結果得られる熱可塑性ポリウレタン組成物から繊維を作製するステップであって、該その結果得られる繊維が増加した難燃性を有する、ステップ
を含み、
該機能改質剤が構成成分（ａ）の熱可塑性ポリウレタンの骨格に組み込まれている、方法。
【請求項１９】
ステップ（ＩＩＩ）の熱可塑性ポリウレタン組成物が、さらに、
（ｂ）（ｉ）１つまたは１つより多くのポリオールと、（ｉｉ）１つまたは１つより多くのジイソシアネートと、（ｉｉｉ）１つまたは１つより多くの鎖延長剤と、（ｉｖ）場合によっては１つまたは１つより多くの架橋剤との反応生成物を含む第２熱可塑性ポリウレタンであって、該構成成分（ｂ）の第２熱可塑性ポリウレタンは、該構成成分（ａ）の熱可塑性ポリウレタンとは異なるもの；
（ｃ）ＮＣＯ末端プレポリマー；または
（ｄ）（ｂ）と（ｃ）の両方
を含み、
ステップ（ＩＩＩ）が、さらに、構成成分（ａ）と構成成分（ｂ）、（ｃ）、または（ｄ）とを混合および／または反応させることで、該熱可塑性ポリウレタン組成物を得ることを含む、請求項１８に記載の方法。
【請求項２０】
熱可塑性ポリウレタン組成物の難燃性および／または可染性を増加させる方法であって、（Ｉ）１つまたは１つより多くの機能改質剤を、（ｉ）１つまたは１つより多くのポリオールと、（ｉｉ）１つまたは１つより多くのジイソシアネートと、（ｉｉｉ）１つまたは１つより多くの鎖延長剤と、（ｉｖ）場合によっては１つまたは１つより多くの架橋剤との混合物に加えるステップであって、該機能改質剤がそれぞれアミノジオールとブレンステッド酸との反応生成物である、ステップ；および
（ＩＩ）ステップ（Ｉ）の混合物を反応させることで、熱可塑性ポリウレタンを得るステップであって、該機能改質剤が熱可塑性ポリウレタンの骨格に組み込まれている、ステップ；
（ＩＩＩ）ステップ（ＩＩ）の熱可塑性ポリウレタンを含む熱可塑性ポリウレタン組成物を調製するステップ；
（ＩＶ）その結果得られる熱可塑性ポリウレタン組成物から繊維を作製するステップであって、該その結果得られる繊維が増加した難燃性および／または可染性を有する、ステップを含み、
該機能改質剤が構成成分（ａ）の熱可塑性ポリウレタンの骨格に組み込まれている、方法。
【請求項２１】
ステップ（ＩＩＩ）の熱可塑性ポリウレタン組成物が、さらに、
（ｂ）（ｉ）１つまたは１つより多くのポリオールと、（ｉｉ）１つまたは１つより多くのジイソシアネートと、（ｉｉｉ）１つまたは１つより多くの鎖延長剤と、（ｉｖ）場合によっては１つまたは１つより多くの架橋剤との反応生成物を含む第２熱可塑性ポリウレタンであって、該構成成分（ｂ）の第２熱可塑性ポリウレタンは、構成成分（ａ）の熱可塑性ポリウレタンとは異なるもの；
（ｃ）ＮＣＯ末端プレポリマー；または
（ｄ）（ｂ）と（ｃ）の両方
を含み、
ステップ（ＩＩＩ）が、さらに、構成成分（ａ）と構成成分（ｂ）、（ｃ）、または（ｄ）とを混合および／または反応させることで、該熱可塑性ポリウレタン組成物を得ることを含む、請求項２０に記載の方法。
【手続補正２】
【補正対象書類名】明細書
【補正対象項目名】０００９
【補正方法】変更
【補正の内容】
【０００９】
本発明は、例えば、以下を提供する：
（項目１）
熱可塑性ポリウレタン組成物から作製される繊維であって、該熱可塑性ポリウレタン組成物が、
（ａ）（ｉ）１つまたは１つより多くのポリオールと、（ｉｉ）１つまたは１つより多くのジイソシアネートと、（ｉｉｉ）１つまたは１つより多くの鎖延長剤と、（ｉｖ）場合によっては１つまたは１つより多くの架橋剤と、（ｖ）１つまたは１つより多くの機能改質剤との反応生成物を含む熱可塑性ポリウレタン
を含み、
該機能改質剤がそれぞれ、アミノジオールとブレンステッド酸との反応生成物である、繊維。
（項目２）
前記熱可塑性ポリウレタン組成物が、さらに、
（ｂ）（ｉ）１つまたは１つより多くのポリオールと、（ｉｉ）１つまたは１つより多くのジイソシアネートと、（ｉｉｉ）１つまたは１つより多くの鎖延長剤と、（ｉｖ）場合によっては１つまたは１つより多くの架橋剤との反応生成物を含む第２熱可塑性ポリウレタンであって、該第２熱可塑性ポリウレタンは、構成成分（ａ）の熱可塑性ポリウレタンとは異なるもの；
（ｃ）ＮＣＯ末端プレポリマー；または
（ｄ）（ｂ）と（ｃ）の両方
を含み、
構成成分（ａ）と構成成分（ｂ）、（ｃ）、または（ｄ）とを互いに混合および／または反応させ、その結果得られる生成物が該繊維を作製するために使用される、項目１に記載の繊維。
（項目３）
前記機能改質剤が構成成分（ａ）の熱可塑性ポリウレタンの骨格に組み込まれている、項目１に記載の繊維。
（項目４）
前記ブレンステッド酸が、少なくとも一つのカルボン酸、ホスホン酸、ホスフィン酸、スルホン酸、酸性リン酸エステル、またはそれらの組み合わせを含む、項目１〜３のいずれか一項に記載の繊維。
（項目５）
前記アミノジオールが、Ｎ−メチルジエタノールアミン（ＭＤＥＡ）、３−ジエチルアミノ−１，２−プロパンジオール（ＤＥＡＰＤ）、２−アミノ−２−メチル−１，３−プロパンジオール（ＡＭＰＤ）、Ｎ−（ｎ−ブチル）ジエタノールアミン（ＢＤＥＡ）、Ｎ−（ｔ−ブチル）ジエタノール−アミン（ＴＢＤＥＡ）、Ｎ−フェニルジエタノールアミン（ＰＤＥＡ）、Ｎ，Ｎ−ビス（２−ヒドロキシエチル）アミノ−メチルホスホン酸ジエチル、Ｎ−エチルジエタノールアミン、Ｎ−プロピルジエタノールアミン、Ｎ−イソプロピルジエタノールアミン、アミノプロピルジエタノールアミン、３−アミノ−１，２−プロパンジオール、３−ジメチルアミノ−１，２−プロパンジオール、３−ジプロピルアミノ−１，２−プロパンジオール、３−ジイソプロピルアミノ−１，２−プロパンジオール、２−アミノ−１，３−プロパンジオール、２−アミノ−２−エチル−１，３−プロパンジオール、Ｎ，Ｎ’−ビス（２−ヒドロキシエチル）エチレンジアミン、３−ピロリジノ−１，２−プロパンジオール、ジエタノールアミン、ジイソプロパノールアミン、３−ピペリジノ−１，２−プロパンジオール、４，４’−トリメチレンビス（１−ピペリジンエタノール）、１，４−ビス（２−ヒドロキシエチル）ピペラジン、３−モルホリノ−１，２−プロパンジオール、ビス（２−ヒドロキシエチル）オクタデシルアミン、またはそれらの任意の組み合わせを含む、項目１〜４のいずれか一項に記載の繊維。
（項目６）
前記構成成分（ａ）のジイソシアネートが、非ヒンダード芳香族ジイソシアネート、脂肪族ジイソシアネート、またはそれらの組み合わせを含み、
前記構成成分（ａ）のポリオールが、ヒドロキシル末端ポリエーテル、ヒドロキシル末端ポリエステル、ヒドロキシル末端ポリカプロラクトン、ヒドロキシル末端ポリカーボネート、またはそれらの混合物からなる群より選ばれる、
項目１〜５のいずれか一項に記載の繊維。
（項目７）
前記繊維は、約２０〜３６０デニールの直径を有するモノフィラメント繊維である、項目１〜６のいずれか一項に記載の繊維。
（項目８）
前記繊維は、約３０〜３００の全径および１０〜１００のフィラメント数を有するマルチフィラメント繊維である、項目１〜６のいずれか一項に記載の繊維。
（項目９）
構成成分（ａ）が、繊維にされる前に、約２０，０００〜約１，５００，０００の重量平均分子量を有する、項目１〜８のいずれか一項に記載の繊維。
（項目１０）
前記繊維の重量平均分子量が少なくとも４００，０００である、項目１〜９のいずれか一項に記載の繊維。
（項目１１）
構成成分（ａ）の随意の架橋剤が存在し、そしてポリエーテルポリオールとジイソシアネートとから誘導される化合物を含む、項目１〜１０のいずれか一項に記載の繊維。
（項目１２）
項目１〜１１のいずれか一項に記載の繊維を含む布。
（項目１３）
前記布は、不織布である、項目１２に記載の布。
（項目１４）
前記布は、織布または編布である、項目１２に記載の布。
（項目１５）
（Ｉ）（ａ）（ｉ）１つまたは１つより多くのポリオールと、（ｉｉ）１つまたは１つより多くのジイソシアネートと、（ｉｉｉ）１つまたは１つより多くの鎖延長剤と、（ｉｖ）場合によっては１つまたは１つより多くの架橋剤と、（ｖ）１つまたは１つより多くの機能改質剤との反応生成物を含む熱可塑性ポリウレタンを含む、熱可塑性ポリウレタン組成物を調製するステップであって、  該機能改質剤がそれぞれ、アミノジオールとブレンステッド酸との反応生成物であるステップ；
（ＩＩ）前記熱可塑性ポリウレタン組成物から繊維を作製するステップ
を含む、繊維を作製するプロセス。
（項目１６）
前記熱可塑性ポリウレタン組成物が、さらに、
（ｂ）（ｉ）１つまたは１つより多くのポリオールと、（ｉｉ）１つまたは１つより多くのジイソシアネートと、（ｉｉｉ）１つまたは１つより多くの鎖延長剤と、（ｉｖ）場合によっては１つまたは１つより多くの架橋剤との反応生成物を含む第２熱可塑性ポリウレタンであって、該構成成分（ｂ）の第２熱可塑性ポリウレタンは、該構成成分（ａ）の熱可塑性ポリウレタンとは異なるもの；
（ｃ）ＮＣＯ末端プレポリマー；または
（ｄ）（ｂ）と（ｃ）の両方；
を含み、
ステップ（ＩＩ）が、さらに、構成成分（ａ）と構成成分（ｂ）、（ｃ）、または（ｄ）とを混合および／または反応させることで、該熱可塑性ポリウレタン組成物を得ることを含む、項目１５に記載のプロセス。
（項目１７）
熱可塑性ポリウレタン組成物から作製される繊維の可染性を増加させる方法であって、該方法は、
（Ｉ）１つまたは１つより多くの機能改質剤を、（ｉ）１つまたは１つより多くのポリオールと、（ｉｉ）１つまたは１つより多くのジイソシアネートと、（ｉｉｉ）１つまたは１つより多くの鎖延長剤と、（ｉｖ）場合によっては１つまたは１つより多くの架橋剤との混合物に加えるステップであって、該機能改質剤がそれぞれ、アミノジオールとブレンステッド酸との反応生成物である、ステップ；および
（ＩＩ）ステップ（Ｉ）の混合物を反応させることで、熱可塑性ポリウレタンを得るステップであって、該機能改質剤が熱可塑性ポリウレタンの骨格に組み込まれている、ステップ；
（ＩＩＩ）ステップ（ＩＩ）の熱可塑性ポリウレタンを含む熱可塑性ポリウレタン組成物を調製するステップ；
（ＩＶ）その結果得られる熱可塑性ポリウレタン組成物から繊維を作製するステップであって、該その結果得られる繊維が増加した可染性を有するステップ
を含む、方法。
（項目１８）
ステップ（ＩＩＩ）の熱可塑性ポリウレタン組成物が、さらに、
（ｂ）（ｉ）１つまたは１つより多くのポリオールと、（ｉｉ）１つまたは１つより多くのジイソシアネートと、（ｉｉｉ）１つまたは１つより多くの鎖延長剤と、（ｉｖ）場合によっては１つまたは１つより多くの架橋剤との反応生成物を含む第２熱可塑性ポリウレタンであって、該構成成分（ｂ）の第２熱可塑性ポリウレタンは、該構成成分（ａ）の熱可塑性ポリウレタンとは異なるもの；
（ｃ）ＮＣＯ末端プレポリマー；または
（ｄ）（ｂ）と（ｃ）の両方；
を含み、
ステップ（ＩＩＩ）が、さらに、構成成分（ａ）と構成成分（ｂ）、（ｃ）、または（ｄ）とを混合および／または反応させることで、該熱可塑性ポリウレタン組成物を得ることを含む、項目１７に記載の方法。
（項目１９）
熱可塑性ポリウレタン組成物から作製される繊維の難燃性を増加させる方法であって、該方法は、
（Ｉ）１つまたは１つより多くの機能改質剤を、（ｉ）１つまたは１つより多くのポリオールと、（ｉｉ）１つまたは１つより多くのジイソシアネートと、（ｉｉｉ）１つまたは１つより多くの鎖延長剤と、（ｉｖ）場合によっては１つまたは１つより多くの架橋剤との混合物に加えるステップであって、該機能改質剤が、それぞれアミノジオールとブレンステッド酸との反応生成物である、ステップ；および
（ＩＩ）ステップ（Ｉ）の混合物を反応させることで、熱可塑性ポリウレタンを得るステップであって、該機能改質剤が熱可塑性ポリウレタンの骨格に組み込まれている、ステップ；
（ＩＩＩ）ステップ（ＩＩ）の熱可塑性ポリウレタンを含む熱可塑性ポリウレタン組成物を調製するステップ；
（ＩＶ）その結果得られる熱可塑性ポリウレタン組成物から繊維を作製するステップであって、該その結果得られる繊維が増加した難燃性を有する、ステップ
を含む、方法。
（項目２０）
ステップ（ＩＩＩ）の熱可塑性ポリウレタン組成物が、さらに、
（ｂ）（ｉ）１つまたは１つより多くのポリオールと、（ｉｉ）１つまたは１つより多くのジイソシアネートと、（ｉｉｉ）１つまたは１つより多くの鎖延長剤と、（ｉｖ）場合によっては１つまたは１つより多くの架橋剤との反応生成物を含む第２熱可塑性ポリウレタンであって、該構成成分（ｂ）の第２熱可塑性ポリウレタンは、該構成成分（ａ）の熱可塑性ポリウレタンとは異なるもの；
（ｃ）ＮＣＯ末端プレポリマー；または
（ｄ）（ｂ）と（ｃ）の両方
を含み、
ステップ（ＩＩＩ）が、さらに、構成成分（ａ）と構成成分（ｂ）、（ｃ）、または（ｄ）とを混合および／または反応させることで、該熱可塑性ポリウレタン組成物を得ることを含む、項目１９に記載の方法。
（項目２１）
熱可塑性ポリウレタン組成物の難燃性および／または可染性を増加させる方法であって、（Ｉ）１つまたは１つより多くの機能改質剤を、（ｉ）１つまたは１つより多くのポリオールと、（ｉｉ）１つまたは１つより多くのジイソシアネートと、（ｉｉｉ）１つまたは１つより多くの鎖延長剤と、（ｉｖ）場合によっては１つまたは１つより多くの架橋剤との混合物に加えるステップであって、該機能改質剤がそれぞれアミノジオールとブレンステッド酸との反応生成物である、ステップ；および
（ＩＩ）ステップ（Ｉ）の混合物を反応させることで、熱可塑性ポリウレタンを得るステップであって、該機能改質剤が熱可塑性ポリウレタンの骨格に組み込まれている、ステップ；
（ＩＩＩ）ステップ（ＩＩ）の熱可塑性ポリウレタンを含む熱可塑性ポリウレタン組成物を調製するステップ；
（ＩＶ）その結果得られる熱可塑性ポリウレタン組成物から繊維を作製するステップであって、該その結果得られる繊維が増加した難燃性および／または可染性を有する、ステップを含む、方法。
（項目２２）
ステップ（ＩＩＩ）の熱可塑性ポリウレタン組成物が、さらに、
（ｂ）（ｉ）１つまたは１つより多くのポリオールと、（ｉｉ）１つまたは１つより多くのジイソシアネートと、（ｉｉｉ）１つまたは１つより多くの鎖延長剤と、（ｉｖ）場合によっては１つまたは１つより多くの架橋剤との反応生成物を含む第２熱可塑性ポリウレタンであって、該構成成分（ｂ）の第２熱可塑性ポリウレタンは、構成成分（ａ）の熱可塑性ポリウレタンとは異なるもの；
（ｃ）ＮＣＯ末端プレポリマー；または
（ｄ）（ｂ）と（ｃ）の両方
を含み、
ステップ（ＩＩＩ）が、さらに、構成成分（ａ）と構成成分（ｂ）、（ｃ）、または（ｄ）とを混合および／または反応させることで、該熱可塑性ポリウレタン組成物を得ることを含む、項目２１に記載の方法。
（発明の要約）
本発明は、（ａ）熱可塑性ポリウレタンであって、それ自体が、（ｉ）１つまたは１つより多くのポリオールと、（ｉｉ）１つまたは１つより多くのジイソシアネートと、（ｉｉｉ）１つまたは１つより多くの鎖延長剤と、（ｉｖ）場合によっては１つまたは１つより多くの架橋剤と、（ｖ）１つまたは１つより多くの機能改質剤との反応生成物を含むものを含む、熱可塑性ポリウレタン組成物から作製される繊維を提供する。前記機能改質剤はそれぞれ、それ自体が、アミノジオールとブレンステッド酸（ブレーンステッド酸と呼ばれる場合もある）との反応生成物である。